(57)【要約】      （修正有）【課題】各種の汚れた水から金属イオン、ハロゲン・イオン、水素イオン、電荷を持たない物質、有機化合物、および放射性物質などを効率的に分別収集し、細菌やウィルスなどを死滅させ、プラントの規模に容易に適合し維持管理が簡単な、安全で経済的な水処理システムの提供。【解決手段】汚れた水を減圧により気化させる減圧気化型往復ポンプ１１と、流れ込む気体流に磁界をかけ主直進流、陽極側分岐流および陰極側分岐流に分岐させる分別装置１２と、内部を直進通路チャンバー３８、陽極内臓チャンバー３９および陰極内臓チャンバー４０に仕切って分割し、それぞれに主直進流、陽極側分岐流、陰極側分岐流を流し、主直進流はそのまま出口４１に流し、陽極４６にそのハロゲン・イオン、負電荷有機化合物などを付着させ、陰極４７にその金属イオン、正電荷有機化合物などを付着させる分別収集装置１３とを含む水処理システム。【選択図】図１
2016175056.tif 000002
【特許請求の範囲】
【請求項１】
少なくとも金属イオン、ハロゲン・イオン、水素イオン、電荷を持たない物質、および有機化合物などを含む汚れた水を吸い込み、それを減圧により気化させて吐き出し、そして、次に流す減圧気化型往復ポンプと、一端に吸気開口を、他端に広い送気開口をそれぞれ有し、その吸気開口を通ってその減圧気化型往復ポンプから内部に流れ込む気体流中のそのイオンおよび正負電荷有機化合物などに対してローレンツ力に関する左手の規則により力を与える分別方向に磁界をかけ、その気体流を主直進流、陽極側分岐流、および陰極側分岐流に分岐させてその送気開口から次に流す分別装置と、一端に広い吸気開口を有し、内部をその吸気開口に通して直進通路チャンバー、陽極内臓チャンバー、および陰極内臓チャンバーに仕切って分割し、その直進通路チャンバーにその主直進流を、その陽極内臓チャンバーにその陽極側分岐流を、その陰極内臓チャンバーにその陰極側分岐流をそれぞれ流し、そして、その直進通路チャンバーでは、その主直進流をそのままそれの出口に流し、その陽極内臓チャンバーでは、その陽極にそのハロゲン・イオン、負電荷有機化合物などを付着させ、そして、その陰極内臓チャンバーでは、その陰極にその金属イオン、正電荷有機化合物などを付着させる分別収集装置とを含む水処理システム。
【請求項２】
長い減圧気化室が、減圧気化ポンプで圧力を下げられて減圧され、そして、少なくとも金属イオン、ハロゲン・イオン、水素イオン、電荷を持たない物質、および有機化合物などを含む汚れた水を導き、それを室内にゆっくり流しながら気化させ、気化された水分子の気体にその金属イオン、ハロゲン・イオン、水素イオン、電荷を持たない物質、および有機化合物などを混在させてそれをその減圧気化ポンプで次に流す減圧気化装置と、一端に吸気開口を、他端に広い送気開口をそれぞれ有し、その吸気開口を通ってその減圧気化装置から内部に流れ込む気体流中のそのイオンおよび正負電荷有機化合物などに対してローレンツ力に関する左手の規則により力を与える分別方向に磁界をかけ、その気体流を主直進流、陽極側分岐流、および陰極側分岐流に分岐させてその送気開口から次に流す分別装置と、一端に広い吸気開口を有し、内部をその吸気開口に通じて直進通路チャンバー、陽極内臓チャンバー、および陰極内臓チャンバーに仕切って分割し、その直進通路チャンバーにその主直進流を、その陽極内臓チャンバーにその陽極側分岐流を、その陰極内臓チャンバーにその陰極側分岐流をそれぞれ流し、そして、その直進通路チャンバーでは、その主直進流をそのままそれの出口に流し、その陽極内臓チャンバーでは、その陽極にそのハロゲン・イオン、負電荷有機化合物などを付着させ、そして、その陰極内臓チャンバーでは、その陰極にその金属イオン、正電荷有機化合物などを付着させる分別収集装置とを含む水処理システム。
【請求項３】
多段カスケード減圧気化室が、長い筒状ケーシングの内部に流す方向に小滝つなぎ状に区画され、減圧気化ポンプで圧力が下げられて減圧され、そして、少なくとも金属イオン、ハロゲン・イオン、水素イオン、電荷を持たない物質、および有機化合物などを含む汚れた水を導き、それをその小滝つなぎに区画された多数の室内に順次フラッシュさせながらゆっくり流して気化させ、その気化させた水分子の気体にその金属イオン、ハロゲン・イオン、水素イオン、電荷を持たない物質、および有機化合物などを混在させてそれをその減圧気化ポンプで次に流す多段カスケード減圧気化装置と、一端に吸気開口を、他端に広い送気開口をそれぞれ有し、その吸気開口を通ってその多段カスケード減圧気化装置から内部に流れ込む気体流中のそのイオンおよび正負電荷有機化合物などに対してローレンツ力に関する左手の規則により力を与える分別方向に磁界をかけ、その気体流を主直進流、陽極側分岐流、および陰極側分岐流に分岐させてその送気開口から次に流す分別装置と、一端に広い吸気開口を有し、内部をその吸気開口に通じて直進通路チャンバー、陽極内臓チャンバー、および陰極内臓チャンバーに仕切って分割し、その直進通路チャンバーにその主直進流を、その陽極内臓チャンバーにその陽極側分岐流を、その陰極内臓チャンバーにその陰極側分岐流をそれぞれ流し、そして、その直進通路チャンバーでは、その主直進流をそのままそれの出口に流し、その陽極内臓チャンバーでは、その陽極にそのハロゲン・イオン、負電荷有機化合物などを付着させ、そして、その陰極内臓チャンバーでは、その陰極にその金属イオン、正電荷有機化合物などを付着させる分別収集装置とを含む水処理システム。
【請求項４】
複数のシリンダー・ボアが、ボディ中心軸線に直交する半径方向において互いに連通され、ボディ外周面に開放されて穴明けされ、そして、吸込み口が、そのボディ中心軸線上でその複数のシリンダー・ボアに連通されて一方のボディ端面に、吐出し口が、そのボディ中心軸線上でその複数のシリンダー・ボアに連通されて他方のボディ端面にそれぞれ開放されるシリンダー・ボディと、そのシリンダー・ボディのその複数のシリンダー・ボアに対応的に往復摺動可能にはめ合わせられる複数のピストンと、そのボディ外周面の周りに適宜のピストン突出しスペースをあけてそのシリンダー・ボディを覆うポンプ・ケーシングと、その複数のピストンそれぞれに対応されてそのポンプ・ケーシングに固定的に組み付けられる固定側電磁コイルと、その複数のピストンそれぞれのスカートに固定的に組み付けられる可動側電磁コイルと、そのシリンダー・ボディのその吸込み口に連通可能にされてその吸込み口側に配置される電磁給水弁と、そのシリンダー・ボディのその吐出し口に連通可能にされてその吐出し口側に配置される吐出し逆止弁あるいは電磁吐出し弁とを含む減圧気化型往復ポンプ。
【請求項５】
複数のシリンダー・ボアが、ボディ中心軸線の方向に所定の間隔で初段から最終段それぞれの箇所に配置され、そして、そのボディ中心軸線に直交する半径方向にも、また、そのボディ中心軸線の方向でその初段からその最終段の段間にも互いに連通され、ボディ外周面に開放されて穴明けされ、さらに、吸込み口が、その初段の複数のシリンダー・ボアに連通されて初段側ボディ端面に、吐出し口が、その最終段の複数のシリンダー・ボアに連通されて最終段側ボディ端面にそれぞれ開放されるシリンダー・ボディと、そのシリンダー・ボディのその初段からその最終段それぞれのその複数のシリンダー・ボアに対応的に往復摺動可能にはめ合わせられる複数のピストンと、そのボディ外周面のまわりに適宜のピストン突出しスペースをあけてそのシリンダー・ボディを覆うポンプ・ケーシングと、その初段からその最終段それぞれにおいてその複数のピストンそれぞれに対応されてそのポンプ・ケーシングに固定的に組み付けられる固定側電磁コイルと、その初段からその最終段それぞれにおいてその複数のピストンそれぞれのスカートに固定的に組み付けられる可動側電磁コイルと、そのシリンダー・ボディのその吸込み口に連通可能にされてその吸込み口側に配置される電磁給水弁と、そのシリンダー・ボディのその吐出し口に連通可能にされてその吐出し口側に配置される吐出し逆止弁あるいは電磁吐出し弁とを含む多段減圧気化型往復ポンプ。
【発明の詳細な説明】
【技術分野】
【０００１】  この発明は、水処理システムに関し、詳細には、各種の汚れた水、例えば、汚れた河川水や地下水、そして、住宅、各種の工場、および各種のプラントから排出される汚水や汚染水、さらには、工場やプラントの周辺の汚れた海水に減圧気化、磁界分別、および電気収集を連続的に施してその汚れた水から金属イオン、ハロゲン・イオン、水素イオン、電荷を持たない物質、有機化合物、および放射性物質などを取り除いて浄化し、また、細菌やウィルスなどを死滅させて浄化するところの水処理システムに関する。
【背景技術】
【０００２】  通常、住宅では水道水の浄化にフィルターが使われ、また、井戸水の浄化にフィルター、ろ過槽や沈殿槽などが使われるのが一般的である。一方、各種工場や各種プラントから排出される汚水や汚染水には、金属イオン、ハロゲン・イオン、水素イオン、電荷を持たない物質（原子、分子）および有機化合物などが含まれる場合が多くあるので、それらはそのフィルター、ろ過槽や沈殿槽などで取り除けない。
【先行技術文献】
【特許文献】
【０００３】  （非）特許文献ｎ
【発明の概要】
【発明が解決しようとする課題】
【０００４】  この発明の課題は、各種の汚れた水から金属イオン、ハロゲン・イオン、水素イオン、電荷を持たない物質、有機化合物、および放射性物質などを少ない消費エネルギーで効率的に分別収集でき、また、その減圧気化の過程でその汚れた水に含まれる細菌やウィルスなども死滅できてその汚れた水が安全で経済的に浄化され、水処理施設が簡単な構造に具体化され、その汚れた水の排出量に応じて処理容量や台数などを増減させて工場やプラントの規模に容易に適合され、点検修理が簡単で容易になり、部品交換で機能が長く保たれて維持管理が簡単で容易になり、そして、それにかける費用が低減されてさらに経済的になるところの水処理システムの提供にある。
【課題を解決するための手段】
【０００５】  この発明の水処理システムは、少なくとも金属イオン、ハロゲン・イオン、水素イオン、電荷を持たない物質、および有機化合物などを含む汚れた水を吸い込み、それを減圧により気化させて吐き出し、そして、次に流す減圧気化型往復ポンプと、一端に吸気開口を、他端に広い送気開口をそれぞれ有し、その空気開口を通ってその減圧気化型往復ポンプから内部に流れ込む気体流中のそのイオンおよび正負電荷有機化合物などに対してローレンツ力に関する左手の規則により力を与える分別方向に磁界をかけ、その気体流を主直進流、陽極側分岐流、および陰極側分岐流に分岐させてその送気開口から次に流す分別装置と、一端に広い吸気開口を有し、内部をその吸気開口に通じて直進通路チャンバー、陽極内臓チャンバー、および陰極内臓チャンバーに仕切って分割し、その直進通路チャンバーにその主直進流を、その陽極内臓チャンバーにその陽極側分岐流を、その陰極内臓チャンバーにその陰極側分岐流をそれぞれ流し、そして、その直進通路チャンバーでは、その主直進流をそのままそれの出口に流し、その陽極内臓チャンバーでは、その陽極にそのハロゲン・イオン、負電荷有機化合物などを付着させ、そして、その陰極内臓チャンバーでは、その陰極にその金属イオン、正電荷有機化合物などを付着させる分別収集装置とを含む。
【発明の効果】
【０００６】  この発明の水処理システムでは、汚れた水から金属イオン、ハロゲン・イオン、水素イオン、電荷を持たない物質、および有機化合物などを取り除くためや細菌やウィルスなどを死滅除去するためにその汚れた水に減圧気化、磁界分別、および電気収集を連続的に施し、すなわち、先ず、その汚れた水を減圧で気化させてその有機化合物に帯電させてその金属イオン、ハロゲン・イオン、水素イオン、電荷を持たない物質、および正負電荷有機化合物などを混在させる状態の気体流になし、次に、その磁界分別でその気体流に磁界をかけて電荷を持たない水分子や正負どちらにも帯電しない原子、分子などの流れと、その金属イオンおよび正電荷有機化合物などの流れと、そのハロゲン・イオンおよび負電荷有機化合物などの流れとに分岐させ、次いで、その電気収集でその電荷を持たない水分子や正負どちらにも帯電しない原子、分子などはそのまま次へ流されて処理され、一方、そのハロゲン・イオンおよび負電荷有機化合物などは陽極に、その金属イオンおよび正電荷有機化合物などは陰極にそれぞれ収集されるので、フィルターやろ過槽などでは取除き難いところのその金属イオン、ハロゲン・イオン、水素イオン、電荷を持たない物質、および有機化合物などが少ない消費エネルギーでその汚れた水から効率的に分別収集され、その汚れた水が安全で経済的に浄化され、水処理施設が簡単な構造に具体化され、その汚れた水の排出量に応じて処理容量や台数などが増減されて工場やプラントの規模に容易に適合され、点検修理が簡単で容易になり、部品交換で機能が長く保たれて維持管理が簡単で容易になり、そして、それにかける費用が低減されてさらに経済的になり、また、汚染された水の浄化処理では、細菌やウィルスなどが、その減圧気化の過程で死滅除去され、そして、放射性物質が、同様にして取り除かれ、汚染された水の浄化処理にも安全で経済的に活用できて汚れた水の浄化処理に実用になって有用である。
【図面の簡単な説明】
【０００７】
【図１】工場から排出される汚水の浄化処理に活用されるところのこの発明の水処理システムの具体例を示した概説図である。
【図２】大型化された工場から排出される汚水を浄化処理するところのこの発明の水処理システムの別の具体例を示した概説図である。
【図３】大型化され、処理効率を上げて工場から排出される汚水を浄化処理するところのこの発明の水処理システムのさらに別の具体例を示した概説図である。
【図４】図１に示された水処理システムに活用されるところの別の減圧気化型往復ポンプを示した縦断面図である。
【図５】図４に示されたその別の減圧気化型往復ポンプを示した横断面図である。
【図６】図１に示された水処理システムに活用されるところのさらに別の多段減圧気化型往復ポンプを示した縦断面図である。
【図７】図６に示されたその別の多段減圧気化型往復ポンプを示した横断面図である。
【発明を実施するための形態】
【０００８】  この発明の水処理システムは、少なくとも金属イオン、ハロゲン・イオン、水素イオン、電荷を持たない物質、および有機化合物などを含む汚れた水を吸い込み、それを減圧により気化させて吐き出し、そして、次に流す減圧気化型往復ポンプと、一端に吸気開口を、他端に広い送気開口をそれぞれ有し、その吸気開口を通ってその減圧気化型往復ポンプから内部に流れ込む気体流中のそのイオンおよび正負電荷有機化合物などに対してローレンツ力に関する左手の規則により力を与える分別方向に磁界をかけ、その気体流を主直進流、陽極側分岐流、および陰極側分岐流に分岐させてその送気開口から次に流す分別装置と、一端に広い吸気開口を有し、内部をその吸気開口に通じて直進通路チャンバー、陽極内臓チャンバー、および陰極内臓チャンバーに仕切って分割し、その直進通路チャンバーにその主直進流を、その陽極内臓チャンバーにその陽極側分岐流を、その陰極内臓チャンバーにその陰極側分岐流をそれぞれ流し、そして、その直進通路チャンバーでは、その主直進流をそのままそれの出口に流し、その陽極内臓チャンバーでは、その陽極にそのハロゲン・イオン、負電荷有機化合物などを付着させ、そして、その陰極内臓チャンバーでは、その陰極にその金属イオン、正電荷有機化合物などを付着させる分別収集装置とを含む。
【実施例１】
【０００９】  以下、特定されて図示された具体例に基づいて、この発明の水処理システムを説明するに、図１は、各種の汚れた水を浄化処理可能に具体化されて工場から排出される汚水を浄化処理するために活用されるところのこの発明の水処理システムの具体例１０を示し、そして、この水処理システム１０は、その汚水に減圧気化、磁界分別、および電気収集を連続的に施し、そして、その汚水から少なくとも金属イオン、ハロゲン・イオン、水素イオン、電荷を持たない物質、および有機化合物などを取り除くべく減圧気化型往復ポンプ１１、分別装置１２、分別収集装置１３、および遠心分離装置（図示せず）などを順序だてて組み立て、そして、その工場から排出される汚水を浄化処理する。この水処理システム１０は、汚水に含まれるその金属イオン、ハロゲン・イオン、水素イオン、電荷を持たない物質、および有機化合物などを分別処理して取り除く。
その金属イオンは、アルカリ金属イオン、アルカリ土類金属イオン、その他の金属イオンなどであり、そのハロゲン・イオンは、フッ素イオン、塩素イオン、臭素イオン、ヨウ素イオンなどであり、その電荷を持たない物質は、水分子、正負どちらにも帯電しない原子、分子、例えば、水（Ｈ２Ｏ）、酸素（Ｏ２）、窒素（Ｎ２）、不活性ガス（希ガス）、例えば、アルゴン（Ａｒ）、クリプトン（Ｋｒ）、キセノン（Ｘｅ）などであり、そして、その有機化合物は、油、油脂などである。【００１０】  油は、その減圧気化型往復ポンプ１１内で減圧により気化され、その気化された水分子が減圧気化型往復ポンプ１１からその分別装置１２に吐き出される過程で正又は負に帯電されるので、陰極又は陽極に引き寄せられて付着する。
また、陽イオン、陰イオン、電荷を持たない原子、分子、例えば、水（Ｈ２Ｏ）、酸素（Ｏ２）、窒素（Ｎ２）は、掻き交ぜられ、きりもみ状態になっても電荷を得たり、奪われたりすることはない。【００１１】  詳細には、陰極に引き寄せられる原子は先ず、水素、水素の同位元素などで、水素（Ｈ）を例に挙げる。水素（Ｈ）がイオンの形で存在していると、Ｈ＋の形となって正の電荷を帯びているので、陰極に引き寄せられる。そして、Ｈ＋が陰極に付着すると、Ｈ＋はその陰極から電子（ｅ−）を得て、
２Ｈ＋＋２ｅ−→Ｈ２
と反応し、水素分子（Ｈ２）の状態になる。
水素分子（Ｈ２）の状態になると、電荷を持たないためにその陰極から遊離してしまう。このとき水素分子は、分子量が水の分子量１８に比べて２と非常に軽い気体となるので、上方に移動しやすい。この性質を利用して水素分子（Ｈ２）は収集可能になる。【００１２】  次に、リチウム（Ｌｉ）、ナトリウム（Ｎａ）、カリウム（Ｋ）などのアルカリ金属について、アルカリ金属は、電子を放出するか奪われて正のイオンになる傾向、すなわち、イオン化傾向が非常に強いため水の中に存在しているときは正のイオンになっている。そして、正のイオンのままで陰極に引き寄せられたとしても正のイオンのままでいる傾向が強いために付着後も正のイオンのままでその陰極に付着し続ける。勿論、そのリチウム（Ｌｉ）、ナトリウム（Ｎａ）、カリウム（Ｋ）の正のイオンはそれぞれＬｉ＋、Ｎａ＋、Ｋ＋である。【００１３】  そして、その他の金属イオンについて、その他の金属イオンは、水に存在している場合、正のイオンの状態になっていると、陰極に引き寄せられ、その陰極から電子を得て、例えば、銅（Ｃｕ２＋）であれば、
Ｃｕ２＋＋２ｅ−→Ｃｕ
と反応して銅となりその陰極に析出する。このようにその他の金属は陰極に析出して収集可能になる。【００１４】  また、マグネシウム（Ｍｇ）、カルシウム（Ｃａ）などのアルカリ土類金属について、そのアルカリ土類金属は、アルカリ金属と同じような性質を有すれば、アルカリ金属と同様に処理可能になり、また、その他の金属と同じような性質を有すれば、その他の金属と同様に処理可能になる。【００１５】  一方、陽極に引き寄せられる原子は、フッ素（Ｆ）、塩素（Ｃｌ）、臭素（Ｂｒ）、ヨウ素（Ｉ）などのハロゲン類で、このハロゲン類は、水の中で陰イオンの状態で存在する。そのために陽極に引き寄せられて、その陽極に付着して電子を奪われ、例えば、塩素（Ｃｌ）であれば、
２Ｃｌ−→Ｃｌ２＋２ｅ−
と反応する。常温であれば塩素（Ｃｌ２）は気体となり、電荷を持たないためにその陰極から遊離する。塩素分子は分子量が７１と重いために下方に移動しやすい。この性質を利用して塩素は収集可能である。また、フッ素（Ｆ）も塩素と同様でＦ２の分子量が３８であるから気体として収集可能である。臭素（Ｂｒ）は液体となるため液体として収集可能である。さらに、ヨウ素（Ｉ）は個体となるため陽極に析出されて収集可能である。【００１６】  さらに、電荷を持たない物質について、その電荷を持たない物質は、極性を持たない物質で水に溶けないが有機物（有機溶媒）に溶け込む性質があり、汚水を処理する過程の前段において油と混ぜ合わされることで、この油に取り込まれ、汚水が処理されてゆく過程で油が電荷を持つことでその電荷を持たない物質はその油に混入した形で一緒に処理される。全ての電荷を持たない物質は、油に取り込まれて取り除かれるわけではなく、油に取り込まれなかった場合、電荷を持たない物質はローレンツ力の作用を受けることなく直進し、そして、遠心分離により取り除き可能になる。【００１７】  ところで、上述されたように、汚水に混在する種々の物質の性質を踏まえてこの水処理システム１０を具体的に説明するに、この水処理システム１０は、その減圧気化型往復ポンプ１１、分別装置１２、分別収集装置１３、および遠心分離装置（図示せず）などを順序だてて組み立てられる。そして、この水処理システム１０では、その減圧気化型往復ポンプ１１は、倒立型に組み立てられる。
この減圧気化型往復ポンプ１１は、倒立シリンダー１４、そのシリンダー１４のシリンダー・ボア１９に往復摺動可能にはめ合わせられてそのシリンダー・ボア１９内にシリンダー室２０を形成する倒立ピストン１５、クランク・シャフト（図示せず）、コネクティング・ロッド１６、およびピストン・ピン（図示せず）でそのピストン１５に連結され、そのクランク・シャフトにギア結合されてそのピストン１５をそのシリンダー１４のそのシリンダー・ボア１９内に往復摺動させる電動モーター（図示せず）などで組み立てられる。【００１８】  そのシリンダー１４は、シリンダー・ヘッド１８側でシリンダー側壁１７に吸水口２１および排気口２２を円周方向に適宜に離して開口し、その吸収口２１には、電磁給水弁２３が取り付けられてパイプ２５でその工場の汚水槽（図示せず）に接続され、一方、その排気口２２には、逆止弁２４が取り付けられて末広ダクト３２でその分別装置１２の吸気開口３０に接続される。
その電磁給水弁２３は、そのピストン１５の往復運動に連続され、減圧気化工程で給水始めに開閉されて適宜の量の汚水をそのシリンダー１４内に流す。一方、その逆止弁２４は、エア・ダクトに用いられる構造を採り、密閉効果を高めた逆止弁である。また、その吸水口２１は、その排気口２２よりもそのシリンダー・ヘッド１８寄りであるのが望ましい。【００１９】  そのピストン１５は、ピストン・ヘッド２６寄りで外周面に複数のリング溝（図示せず）を形成してその複数のリング溝に複数のピストン・リング（図示せず）を対応的にはめ込む構造を採り、また、その電磁給水弁２３は、その減圧気化工程で吸入始めに開かれ、そして、減圧気化始めに閉じられてその汚水をそのシリンダー１４のそのシリンダー室２０に適宜の量だけ吸い込ませるようにしている。【００２０】  その分別装置１２は、一端に吸気開口３０を有し、そして、他端を開放して広い送気開口３１になす横置き型箱形筒２７を用い、そして、その箱型筒２７の左右の側壁２８、２９に多数の電磁コイル（図示せず）を面状に並べて配置し、そして、その多数の電磁コイルに通電し、その吸気開口３０を通ってその減圧気化型往復ポンプ１１から内部１２に流れ込む気体流の中に混在するところの金属イオン、ハロゲン・イオン、水素イオン、正負電荷有機化合物などに対してローレンツ力に関する左手に規則により力を与える上下の分別方向に磁界をかけ、そして、その気体流を主直進流、陽極側分岐流、陰極側分岐流に分岐する。その磁界は、図１で説明すれば、紙面上から下に向かって垂直に貫いている。【００２１】  その分別収集装置１３は、一端に広い吸気開口３３をその分別装置１２のその広い送気開口３１に合わせて開口し、内部をその吸気開口３３に通じて仕切り壁３４、３５、３６、３７で直進通路チャンバー３８、陽極内臓チャンバー３９、および陰極内臓チャンバー４０に分割する構造を採る。その直進通路チャンバー３８は、その分別装置１２で分岐されてその分別装置１２から流れ込むその主直進流、陽極側分岐流、および陰極側分岐流に対応してその直進通路チャンバー３８は、上下方向の中間に、その陽極内臓チャンバー３９は、その直進通路チャンバー３８の下に、そして、その陰極内臓チャンバー４０は、その直進通路チャンバー３８の上にそれぞれ仕切って分割され、そして、その直進通路チャンバー３８は他端を開放して出口（送気開口）４１になし、また、その陽極内臓チャンバー３９は他端を塞いで下方に出口（排出口）４２を、その陰極内臓チャンバー４０は他端を塞いで上方に出口（排出口）４３をそれぞれ開口する。
さらに、その直進通路チャンバー３８はその出口（送気開口）４１にその遠心分離装置を接続し、また、その陽極内臓チャンバー３９は内部に陽極板４６を、その陰極内臓チャンバー４０は内部に陰極板４７をそれぞれ配置する。
その陽極板４６および陰極板４７は電池４８に電気的に接続される。【００２２】  この分別収集装置１３は、そのような分岐チャンバー構造を採り、そして、その直進通路チャンバー３８にその主直進流を、その陽極内臓チャンバー３９にその陽極側分岐流を、その陰極内臓チャンバー４０にその陰極側分岐流をそれぞれ流してその直進通路チャンバー３８では、その主直進流をそのままその送気開口４１に流し、その陽極内臓チャンバー３９では、その陽極板４６にそのハロゲン・イオン、負電荷有機化合物などを付着させ、そして、その陰極内臓チャンバー４０では、その陰極板４７に金属イオン、正電荷有機化合物などを付着させる。【００２３】  その遠心分離装置は、ダクト４９でその分別収集装置１３のその直進通路チャンバー３８のその送気開口４１に接続させて電動モーター（図示せず）で運転され、そして、その直進通路チャンバー３８を通過して流れ込む気体を処理する。【００２４】  次に、この水処理システム１０の運転について説明する。先ず、起動スイッチ（図示せず）を入れる。その起動スイッチが入ると、この水処理システム１０では、コントローラー（図示せず）が働き、その減圧気化型往復ポンプ１１、分別装置１２、分別収集装置１３、および遠心分離装置がそのコントローラーで運転制御される。
この減圧気化型往復ポンプ１１では、先ず、その電動モーターに通電され、その倒立ピストン１５がその電動モーターでその倒立シリンダー１４のそのシリンダー・ボア１９内に上下に往復摺動され、そして、その電磁給水弁２３が、そのピストン１５の往復運動に連続的に通電制御されて開閉動作され、この電磁給水弁２３は、その減圧気化型往復ポンプ１１の減圧気化工程時、そのピストン１５がそのシリンダー１４のそのシリンダー・ボア１９内に上下方向に摺動するところの吸水始めに開閉されて適宜の量の汚水をそのシリンダー１４のそのシリンダー・ボア１９内に吸い込ませる。
そのピストン１５がそのシリンダー１４のそのシリンダー・ボア１９内にさらに上下方向に摺動されるに伴って急激的に減圧され、そして、汚水はそのシリンダー室２０内で瞬間的に気化される。【００２５】  そのピストン１５が下死点に達すると、続いてその電動モーターでそのシリンダー１４のそのシリンダー・ボア１９内に下方向に摺動され始め、この吐出し工程では、その気化された水分子の気体やその気体に混在する油、金属イオン、ハロゲン・イオン、水素イオン、および電荷を持たない物質などは、ピストン１５でその排気口２２から吐き出され、その逆止弁２４を押し開き、そして、その末広ダクト３２を通ってその分別装置１２のその吸気開口３０へ流れ、そして、その分別装置１２の内部に流れ込む。勿論、その油は、その減圧気化型往復ポンプ１１の減圧気化工程からその吐出し工程の過程で正負電荷に帯電される。
そして、その水処理システム１０の運転中、この減圧気化型往復ポンプ１１は汚水を減圧気化させ、そして、それをその分別装置１２に流すところの動作を連続的に繰り返す。【００２６】  この分別装置１２では、その多数の電磁コイルに通電され、磁界がその金属イオン、ハロゲン・イオン、水素イオン、および正負電荷有機化合物の油などに対してローレンツ力に関する左手の規則により力を与える分別方向に発生され、そのイオンやその正負電荷有機化合物の油などにかけられて分別する状態に置かれるので、また、図１に基づけば、その磁界は紙面上から下方向に垂直に貫いて発生され、そのイオンやその油などにかけられて分別する状態に置かれるので、その気化された水分子の気体の流れに混在するそのイオンやその油などがその磁界から力を受け、その気化された水分子の気体流を主直進流、陽極側分岐流、および陰極側分岐流に分岐させてその送気開口３１からその分別収集装置１３のその広い吸気開口３３に流す。【００２７】  その分別収集装置１３では、その電池４８でその陽極板４６および陰極板４７に電圧がかけられ、その陽極板４６にそのハロゲン・イオンおよび油などを、その陰極板４７にその金属イオン、水素イオン、油などをそれぞれ付着させて分別収集する状態に置かれるので、その主直進流はその広い吸気開口３３からその直進通路チャンバー３８へ、そして、陰極側分岐流は、その広い吸気開口３３からその陽極内臓チャンバー３９へ、そして、陰極側分岐流は、その広い吸気開口３３からその陰極内臓チャンバー４０へそれぞれ流し、そして、その直進通路チャンバー３８では、その主直進流をそのまま直進させてその送気開口４１に流し、ダクト４９でその送気開口４１からその遠心分離装置に送り、そこで分離収集して気化された水分子の気体などを放出する。【００２８】  同時に、その陽極内臓チャンバー３９では、そのハロゲン・イオン、油などをその陽極板４６に引き寄せ、付着させて収集する。また、この陽極内臓チャンバー３９は、直進通路チャンバー・リターン４４で気化された水分子の気体などをその直進通路チャンバー３８のその送気開口４１側に戻す。
一方、同時に、その陰極内臓チャンバー３９では、その金属イオン、油などをその陰極板４７に引き寄せ、付着させて収集する。そして、この陰極内臓チャンバー４０では、その水素イオンがその陰極板４７で水素分子（Ｈ２）となってその排出口４２に流れる。また、この陰極内臓チャンバー４０は、直進通路チャンバー・リターン４５で気化された水分子の気体などをその直進通路チャンバー３８のその送気開口４１側に戻す。
そのようにして、この水処理システム１０では、工場が排出する汚水から金属イオン、ハロゲン・イオン、水素イオン、電荷を持たない物質、および有機化合物などの混在物質が、簡単な構造に具体化されて維持管理が簡単かつ容易にする手段を用い、少ない消費エネルギーで効率的に、そして、経済的に、しかも安全に分別収集可能になってその汚水が浄化される。
この水処理システム１０は、工場やプラントの規模に応じてその減圧気化型往復ポンプ１１、分別装置１２、および分別収集装置１３の処理容量、台数などを増減させ、処理能力を変えて容易に適合でき、また、長い時間の運転にもその減圧気化型往復ポンプ１１、分別装置１２、および分別収集装置１３が、部品を交換するだけで機能が保たれ、点検修理、すなわち、維持管理が簡単かつ容易になって経費が節減され、そして、経済的になる。
さらに、その金属イオン、ハロゲン・イオン、水素イオン、電荷を持たない物質、および有機化合物などの分別収集率は、その分別収集装置１３のその直進通路チャンバー３８にその分別装置１２および分別収集装置１３を繰り返しつなぐことにより簡単にあげられる。そして、その汚水が、さらに放射性物質で汚染されている場合、この水処理システム１０は、同様に活用できてその汚水からその放射性物質を取り除く。
また、その汚水が、細菌やウィルスなどで汚染されている場合でもこの水処理システム１０では、その減圧気化型往復ポンプ１１の減圧気化工程時、その細菌やウィルスは減圧により破裂されて死滅される。【００２９】  したがって、この水処理システム１０では、先ず、少なくとも金属イオン、ハロゲン・イオン、水素イオン、電荷を持たない物質、および有機化合物などを含む汚水に減圧をかけてその汚水を減圧により気化させ、気化された水分子の気体流にその金属イオン、ハロゲン・イオン、水素イオン、電荷を持たない物質、および有機化合物などを混在させ、次いで、磁界でその混在物質を分別し、そして引き続いて、電極でその分別された混在物質を収集するので、フィルターやろ過槽などでは取除き難いところのその金属イオン、ハロゲン・イオン、水素イオン、電荷を持たない物質、および有機化合物などが少ない消費エネルギーでその汚水から効率的に分別収集され、その汚水が安全で経済的に浄化され、水処理施設が簡単な構造に具体化され、その汚水排出量に応じて処理容量や台数などが増減されて工場やプラントの規模に容易に適合され、点検修理が簡単で容易になり、部品交換で機能が長く保たれて維持管理が簡単で容易になり、そして、それにかける費用が低減されてさらに経済的になり、さらに、その汚水が放射性物質で汚染されている場合でも同様にその放射性物質がその汚水から取り除かれてその汚水が浄化処理され、また、その汚水が細菌やウィルスなどで汚染されている場合でも減圧気化時にその細菌やウィルスが減圧により死滅されてその汚水が浄化処理され、そのように、その汚水を浄化処理するのに実用になって有用である。
【実施例２】
【００３０】  図２は、各種の汚れた水を大量に浄化処理できるように改良され、そして、工場から排出される汚水を連続的に大量に浄化処理するために活用されるところのこの発明の水処理システムの別の具体例５０を示し、そして、この水処理システム５０は、前述の水処理システム１０のその減圧気化型往復ポンプ１１を減圧気化装置５１に置き換えて具体化される。
この水処理システム５０は、その汚水に減圧気化、磁界分別、および電気収集を連続的に施し、そして、その汚水から金属イオン、ハロゲン・イオン、水素イオン、電荷を持たない物質、および有機化合物などを取り除くためにその減圧気化装置５１、分別装置１２、分別収集装置１３、および遠心分離装置などを順序だてて組み立て、そして、その工場から排出される汚水を浄化処理する。
この水処理システム５０では、その減圧気化装置５１が長い筒状減圧気化室５６を大型化させ、その大型の長い筒状減圧気化室５６が電動モーター付き減圧気化ポンプ６２、６２、６２、６２、６２、６２、で圧力を下げられて減圧され、そして、少なくとも金属イオン、ハロゲン・イオン、水素イオン、電荷を持たない物質、および有機化合物などを含む汚水を導き、それを室内にゆっくり流しながら気化させ、気化された水分子の気体にその金属イオン、ハロゲン・イオン、水素イオン、電荷を持たない物質、および有機化合物などを混在させてそれをその減圧気化ポンプ６２、６２、６２、６２、６２、６２で次の分別装置１２に流す働きをなす。それで、この水処理システム５０はその汚水を連続的に大量に浄化処理可能にする。【００３１】  この減圧気化装置５１は、大型の長い筒状ケーシング５２が両端を前および後端壁５３、５４で塞がれて内部を大型の長い筒状減圧気化室５６に活用する構造を採り、そして、その大型の長い筒状減圧気化室５６内に汚水をゆっくり流せるようにその筒状ケーシング５２を適宜に前下りに傾斜させて横置き状態で地面１１０に配置される。【００３２】  そして、この減圧気化装置５１では、その筒状ケーシング５２のその前端壁５３に汚水入口５７を、その後端壁５４寄りでその筒状ケーシング５２の側壁５５の下側に汚水戻し口５８をそれぞれ開口し、また、その筒状ケーシング５２のその側壁５５の上側に接続口５９、５９、５９、５９、５９、５９を流す方向に所定の間隔を置いて開口し、そして、その汚水入口５７が電磁給水弁６０を有する汚水パイプ６１でその工場の汚水槽（図示せず）に接続され、一方、その接続口５９、５９、５９、５９、５９、５９がそれぞれ電動モーター付き減圧気化ポンプ６２、６２、６２、６２、６２、６２を有する接続パイプ６３、６３、６３、６３、６３、６３でその分別装置１２に接続されてその汚水槽および分別装置１２に接続される。勿論、その電動モーター付き減圧気化ポンプ６２、６２、６２、６２、６２、６２は、電動モーター付き往復動ポンプを用いるのが望ましい。そうすると、この水処理システム５０でも前述の水処理システム１０同様に汚水に含まれる細菌やウィルスがその往復動ポンプの減圧効果により破裂されて死滅される。
また、その減圧気化ポンプ６２，６２、６２、６２、６２、６２は多数になるので電動モーター付き多気筒型往復動ポンプ一台にまとめられて置き換えられてもかまわない。【００３３】  また、この減圧気化装置５１は、その汚水戻し口５８が電磁戻し弁６４および電動モーター付き汚水戻しポンプ６５を有する汚水戻しパイプ６７でその汚水入口５７側に接続されて気化されなかった汚水をその汚水入口５７側に戻す構造を採っている。
そして、汚水はその長い筒状減圧気化室５６内にゆっくりと流れて全て気化されるのであるが、その汚水が全て気化されずにそれの一部が残る場合、その一部の汚水はその後端壁５４側に流れ、そして、その汚水戻しパイプ６７を経てその汚水戻し口５８から汚水リザーバー６６に流れてそこに溜まる。
その気化されなかった汚水の一部はその汚水リザーバー６６に一定量溜まると、水位センサー（図示せず）が働いてその電磁戻し弁６４が開かれ、同時に、その汚水戻しポンプ６５が運転され、そして、その気化されなかった汚水はその汚水戻しポンプ６５によりその汚水戻しパイプ６７を経てその汚水入口５７側へ戻される。そして、そのようにしてその気化されなかった汚水がその汚水入口５７側に戻されてその汚水リザーバー６６においてその汚水の水位が一定値まで下がると、その水位センサーが働いてその汚水戻しポンプ６５が停止され、同時に、その電磁戻し弁６４が閉じられる。【００３４】  次に、この水処理システム５０の運転について説明する。先ず、起動スイッチ（図示せず）を入れる。その起動スイッチが入ると、この水処理システム５０では、コントローラー（図示せず）が働き、その減圧気化装置５１、分別装置１２、分別収集装置１３、および遠心分離装置が、そのコントローラーで運転制御される。
その減圧気化装置５１では、その電動モーター付き減圧気化ポンプ６２、６２、６２、６２、６２、６２が運転され、そして、その減圧気化室５６内の圧力を下げる。
その減圧気化室５６が減圧されて所定の減圧値に達すると、その電磁給水弁６０が開かれ、汚水はその汚水パイプ６１を経てその汚水槽からその汚水入口５７へ流れてさらにその汚水入口５７からその減圧気化室５６内に流れ込み、そして、その減圧気化室５６内にゆっくり流れながら気化される。
そして、この減圧気化室５６で気化された水分子の流れにその金属イオン、ハロゲン・イオン、水素イオン、電荷を持たない物質、および有機化合物などが混在され、そして、その水分子の気体流がその減圧気化ポンプ６２、６２、６２、６２、６２、６２によりその分別装置１２に送られる。
そのように、この水処理システム５０は、その減圧気化装置５１を用いるので、汚水が連続的に大量に浄化処理される。
そして、その汚水が放射性物質で汚染されている場合、この水処理システム５０は同様にしてその汚染水からその放射性物質を取り除いてその汚染水を浄化処理する。
また、その汚水が細菌やウィルスなどで汚染されている場合、この水処理システム５０では、その細菌やウィルスなどが減圧効果により破裂されて死滅されることから、この水処理システム５０は、その細菌やウィルスなどで汚染されている汚染水を浄化処理可能にする。【００３５】  したがって、この水処理システム５０では、少なくとも金属イオン、ハロゲン・イオン、水素イオン、電荷を持たない物質、および有機化合物などを含む汚水を大型の長い減圧気化室５６内にゆっくり流しながら気化させてその気化された水分子の流れにその金属イオン、ハロゲン・イオン、水素イオン、電荷を持たない物質、および有機化合物などを混在させ、次に、その水分子の気体流に磁界をかけてその混在物質を分別し、引き続いて、電極でその分別された混在物質を収集するので、その金属イオン、ハロゲン・イオン、水素イオン、電荷を持たない物質、および有機化合物などが少ない消費エネルギーでその汚水から効率的に分別収集され、その汚水が連続的に大量にして安全で経済的に浄化処理され、汚水処理施設として工場やプラントの規模に容易に適合され、点検修理が簡単で容易になり、そして、部品交換で機能が長く保たれて維持管理が簡単で容易になり、それにかける費用が低減されてさらに経済的になるに加えて、放射性物質を含む汚染水の場合にも同様に安全で経済的に活用できてその放射性物質がその汚水から取り除かれ、そして、その汚水が浄化処理可能になり、また、細菌やウィルスなどで汚染されている汚染水の場合もその細菌やウィルスなどが減圧効果により破裂され死滅されることから殺菌や殺ウィルス効果があり、その結果、その汚水や汚染水を含めて種々の水を連続的に大量に浄化処理するために実用になって有用である。
【実施例３】
【００３６】  図３は、各種の汚れた水を連続的に大量に浄化処理できるように改良され、そして、工場から排出される汚水を大量に浄化処理するために活用されるところのこの発明の水処理システムのさらに別の具体例７０を示し、そして、この水処理システム７０は、前述の水処理システム５０のその減圧気化装置５１を多段カスケード減圧気化装置（多段小滝つなぎ減圧気化装置）７１に置き換えて具体化される。
この水処理システム７０は、その汚水に多段カスケード減圧気化、磁界分別、および電気収集を連続的に施し、そして、その汚水から金属イオン、ハロゲン・イオン、水素イオン、電荷を持たない物質、および有機化合物などを取り除くためにその多段カスケード減圧気化装置７１、分別装置１２、分別収集装置１３、および遠心分離装置などを順序だてて組み立て、そして、その工場から排出される汚水を浄化処理する。
この水処理システム７０では、その多段カスケード減圧気化装置７１は、多段カスケード減圧気化室８１、８２、８３、８４、８５、８６が大型の長い筒状ケーシング７２の内部に流す方向に小滝つなぎ状に区画され、電動モーター付き減圧気化ポンプ１０３、１０３、１０３、１０３、１０３、１０３で圧力が下げられて減圧され、そして、少なくとも金属イオン、ハロゲン・イオン、水素イオン、電荷を持たない物質、および有機化合物などを含む汚水を導びき、それをその小滝つなぎに区画された多数の室内に順次フラッシュさせながらゆっくり流して気化させ、その気化された水分子の気体にその金属イオン、ハロゲン・イオン、水素イオン、電荷を持たない物質、および有機化合物などを混在させてそれをその減圧気化ポンプ１０３、１０３、１０３、１０３、１０３、１０３で次の分別装置１２に流す働きをなす。それで、この水処理システム７０は、その多段カスケード減圧気化装置７１が大型化されるので、その汚水を連続的で効率的に大量に浄化処理可能にする。【００３７】  この多段カスケード減圧気化装置７１は、両端を端壁７３、７４で塞いだ大型の長い筒状ケーシング７２、その筒状ケーシング７２の内部に流す方向に所定の間隔を置いて配置されてその筒状ケーシング７２の内部を多段カスケード減圧気化室８１、８２、８３、８４、８５、８６に区画する多数の仕切り壁７６、７７、７８、７９，８０、その前端壁７３の汚水入口９３およびその仕切り壁７６、７７、７８、７９、８０の連通口９６、９７、９８、９９、１００のそれぞれ適宜に隣接されてその減圧気化室８１、８２、８３、８４、８５、８６に配置されるフラッシュ堰８７、８８、８９、９０、９１、９２などで組み立てられる構造に制作され、そして、その筒状ケーシング７２を適宜に前下りに傾斜させて横置きの状態で地面１１０に配置される。【００３８】  さらに、この多段カスケード減圧気化装置７１は、その減圧気化室８１、８２、８３、８４、８５、８６に対応してその筒状ケーシング７２の側壁７５の上側に接続口９５、９５、９５、９５、９５、９５が開口され、また、その減圧気化室８６においてその後端壁７４寄りでその筒状ケーシング７２のその側壁７５の下側に汚水戻し口９４が開口され、そして、その汚水槽およびその分別装置１２に接続可能にするところの構造を採っている。
さらに具体的には、この多段カスケード減圧気化装置７１は、その汚水入口９３が電磁給水弁１０１を有する汚水パイプ１０２でその工場の汚水槽に接続され、一方、その接続口９５、９５、９５、９５、９５、９５が電動モーター付き減圧気化ポンプ１０３、１０３、１０３、１０３、１０３、１０３を有する接続パイプ１０４、１０４、１０４、１０４、１０４、１０４でその分別装置１２に接続される流体回路になされてその汚水槽および分別装置１２に接続される。勿論、その電動モーター付き減圧気化ポンプ１０３、１０３、１０３、１０３、１０３、１０３は、電動モーター付き往復動ポンプを用いるのが望ましい。そうすると、この水処理システム７０でも前述の水処理システム１０、５０同様に汚水に含まれる細菌やウィルスなどがその往復動ポンプの減圧効果により破裂されて死滅される。
また、その減圧気化ポンプ１０３、１０３、１０３、１０３、１０３、１０３は多数になるので、電動モーター付き多気筒型往復動ポンプ一台にまとめられて置き換えられてもかまわない。【００３９】  また、この多段カスケード減圧気化装置７１は、その汚水戻し口９４が電磁戻し弁１０５および電動モーター付き汚水戻しポンプ１０６を有する汚水戻しパイプ１０８でその汚水入口９３側へ接続されて気化されなかった汚水をその汚水入口９３側へ戻す構造を採っている。
そして、汚水はその多段カスケード減圧気化室８１、８２、８３、８４、８５、８６内に順次ゆっくりと流れ、その多段カスケード減圧気化室８１、８２、８３、８４、８５、８６それぞれにおいてそのフラッシュ堰８７、８８、８９、９０、９１、９２を超えて流れる際、フラッシュされて気化が促進されながら初段減圧気化室８１から最終段減圧気化室８６へ流れて全て気化されるのであるが、その汚水が全て気化されずにそれの一部がその最終段減圧気化室８６に残る場合、その一部の汚水はその後端壁７１側へ流れ、そして、その汚水戻しパイプを経てその汚水戻し口９４から汚水リザーバー１０７に流れてそこに溜まる。
その気化されなかった汚水の一部はその汚水リザーバー１０７に一定量溜まると、水位センサー（図示せず）が働いてその電磁戻し弁１０５が開かれ、同時に、その汚水戻しポンプ１０５が運転され、そして、その気化されなかった汚水はその汚水戻しパイプ１０８を経てその汚水入口９３側へ、すなわち、最終段減圧気化室８６からその初段減圧気化室８１へ戻される。そして、そのようにしてその気化されなかった汚水がその汚水入口９３側へ戻されてその汚水リザーバー１０７においてその汚水の水位が一定値まで下がると、その水位センサーが働いてその汚水戻しポンプ１０６が停止され、同時に、その電磁戻し弁１０５が閉じられる。【００４０】  次に、この水処理システム７０の運転について説明する。先ず、起動スイッチ（図示せず）を入れる。その起動スイッチが入ると、この水処理システム７０では、コントローラー（図示せず）が働き、その多段カスケード減圧気化装置７１、分別装置１２、分別収集装置１３、および遠心分離装置が、そのコントローラーで運転制御される。
その多段カスケード減圧気化装置７１では、その電動モーター付き減圧気化ポンプ１０３、１０３、１０３、１０３、１０３、１０３が運転されてその多段カスケード減圧気化室８１、８２、８３、８４、８５、８６内の圧力を下げ、そして、その減圧気化室８１、８２、８３、８４、８５、８６が所定の減圧値に達すると、その電磁給水弁１０１が開かれて汚水がその汚水パイプ１０２を経てその汚水槽からその筒状ケーシング７２のその汚水入口７３に流れてその汚水入口７３からその初段減圧気化室８１内に流れ込む。
その流れ込んだ汚水は、その初段減圧気化室８１内にゆっくり流れながら気化され、そして、そのフラッシュ堰８７を越える際にも、その流れ込んだ汚水の一部がフラッシュされて気化され、そして、気化されなかった汚水はその減圧気化室８２、８３、８４、８５、８６に順次フラッシュされながらゆっくりと流れて気化される。そして、その減圧気化室８２、８３、８４、８５、８６で気化された水分子の流れにその金属イオン、ハロゲン・イオン、水素イオン、電荷を持たない物質、および有機化合物などが混在され、そして、その水分子の気体流がその電動モーター付き減圧気化ポンプ１０３、１０３、１０３、１０３、１０３、１０３によりその分別装置１２に送られる。
そのように、この水処理システム７０は、その多段カスケード減圧気化装置７１を用いるので、汚水の気化が促進され、そして、その汚水が連続的で効率的にして大量に浄化処理される。
そして、その汚水が放射性物質で汚染されている場合、この水処理システム７０は同様にしてその汚染水からその放射性物質を取り除いてその汚染水を浄化処理する。
また、その汚水が細菌やウィルスなどで汚染されている場合、この水処理システム７０では、その細菌やウィルスなどが減圧効果により破裂されて死滅されることから、この水処理システム７０は、その細菌やウィルスなどで汚染されている汚染水も浄化処理可能にする。【００４１】  この多段カスケード減圧気化装置７１では、その多段カスケード減圧気化室８１、８２、８３、８４、８５、８６の圧力が所定の減圧値に設定されたが、その多段カスケード減圧気化室８１、８２、８３、８４、８５、８６内の圧力は、例えば、初段減圧気化室８１から最終段減圧気化室８６へ減圧値を段々と高くするように設定されてもかまわない。【００４２】  したがって、この水処理システム７０では、少なくとも金属イオン、ハロゲン・イオン、水素イオン、電荷を持たない物質、および有機化合物などを含む汚水を大型の多段カスケード減圧気化室（多段小滝つなぎ減圧気化室）８１、８２、８３、８４、８５、８６内に順次フラッシュさせながらゆっくり流して気化させ、その気化された水分子の流れにその金属イオン、ハロゲン・イオン、水素イオン、電荷を持たない物質、および有機化合物などを混在させ、次いで、その水分子の気体流に磁界をかけてその混在物質を分別し、引き続いて、電極でその分別された混在物質を収集するので、その金属イオン、ハロゲン・イオン、水素イオン、電荷を持たない物質、および有機化合物などが少ない消費エネルギーでその汚水から効率的に分別収集され、その汚水が連続的に効率的でかつ大量にして安全で経済的に浄化処理され、汚水処理施設として工場やプラントの規模に容易に適合され、点検修理が簡単で容易になり、そして、部品交換で機能が保たれて維持管理が簡単で容易になり、それにかける費用が低減されてさらに経済的になるに加えて、放射性物質を含む汚染水の場合にも、同様に安全で経済的に活用できてその放射性物質がその汚染水から取り除かれ、そして、その汚染水が浄化処理可能になり、また、細菌やウィルスなどで汚染されている汚染水の場合もその細菌やウィルスなどが減圧効果により破裂され死滅されることから殺菌や殺ウィルス効果があり、その結果、その汚水や汚染水を含めて種々の水を連続的に効率的でかつ大量にして安全に浄化処理するために実用になって有用である。
【実施例４】
【００４３】  図４および図５は、前述の水処理システム１０に活用されるところの別の減圧気化型往復ポンプ１２０を示す。
この減圧気化型往復ポンプ１２０は、多数のシリンダー・ボア１３３、１３３、１３３、１３３が、ボディ中心軸線に直交する半径方向において互いに連通され、ボディ外周面１３０に開放されて放射状に穴明けされ、そして、吸込み口１３４が、そのボディ中心軸線上でその多数のシリンダー・ボア１３３、１３３、１３３、１３３に連通されて一方のボディ端面１３１に、吐出し口１３５が、そのボディ中心軸線上でその多数のシリンダー・ボア１３３、１３３、１３３、１３３に連通されて他方のボディ端面１３２にそれぞれ解放されるシリンダー・ボディ１２１と、そのシリンダー・ボディ１２１のその多数のシリンダー・ボア１３３、１３３、１３３、１３３に対応的に往復摺動可能にはめ合わせられる多数のピストン１２２、１２２、１２２、１２２と、そのボディ外周面１３０の周りに適宜のピストン突き出しスペース１３８をあけてそのシリンダー・ボディ１２１を覆うポンプ・ケーシング１２３と、その多数のピストン１２２、１２２、１２２、１２２それぞれに対応されてそのポンプ・ケーシング１２３に固定的に組み付けられる固定側電磁コイル１２４と、その多数のピストン１２２、１２２、１２２、１２２それぞれのピストン・スカート１３７に固定的に組み付けられる可動側電磁コイル１２６と、そのシリンダー・ボディ１２１のその吸込み口１３４に連通可能にされてその吸込み口１３４側に配置される電磁給水弁１２６と、そのシリンダー・ボディ１２１の吐出し口１３５に連通可能にされてその吐出し口１３５側に配置される吐出し逆止弁１２７とを含んで組み立てられる。勿論、その水処理システム１０は、起動スイッチ（図示せず）を入れ、その起動スイッチが入ると、コントローラーが働き、そして、そのコントローラーで運転制御されるので、その吐出し逆止弁１２７は電磁吐出し弁に置き換えられてもかまわない。【００４４】  次に、この減圧気化型往復ポンプ１２０が、その水処理システム１０の運転中、汚水を減圧気化させ、そして、その気化された物質を吐き出してその分別装置１２に送るところの動作を説明する。
その水処理システム１０は、先ず、その起動スイッチを入れる。その起動スイッチが入ると、この水処理システム１０では、コントローラー（図示せず）が働き、その減圧気化型往復ポンプ１２０、分別装置１２、分別収集装置１３、および遠心分離装置がそのコントローラーで運転制御される。【００４５】  この減圧気化型往復ポンプ１２０では、先ず、その固定側および可動側電磁コイル１２４、１２５に同じ向きに通電され、その多数のピストン１２２、１２２、１２２、１２２が上死点から下死点へ摺動し始める。その際、その電磁給水弁１２６は、この減圧気化工程始めの短い時間連動的に通電制御されて開閉され、適宜の量の汚水をそのたがいに連通された多数のシリンダー・ボア１３３、１３３、１３３、１３３に吸い込ませる。
その多数のピストン１２２、１２２、１２２、１２２がその互いに連通された多数のシリンダー・ボア１３３、１３３、１３３、１３３内にさらに下死点に摺動されるに伴って瞬間的で急激的に減圧され、そして、その吸い込んだ汚水はそのシリンダー・ボア（シリンダー室）１３３、１３３、１３３、１３３内で瞬間的で強力的に気化される。【００４６】  続いて、その多数のピストン１２２、１２２、１２２、１２２が下死点に達する際、その固定側および可動側電磁コイル１２４、１２５に逆向きにす速く通電され、その多数のピストン１２２、１２２、１２２、１２２がその互いに通電された多数のシリンダー・ボア１３３、１３３、１３３、１３３内に対応的にその下死点からその上死点に摺動され始め、この吐出し工程では、その気化された水分子の気体やその気体に混在する油、金属イオン、ハロゲン・イオン、水素イオン、および電荷を持たない物質などは、その多数のピストン１２２、１２２、１２２、１２２でその吐出し口１３５から吐き出され、その吐出し逆止弁１２７を押し開き、そして、その末広ダクト３２を通ってその分別装置１２のその吸気開口３０へ流れてその分別装置１２の内部に流れ込む。勿論、その油は、その減圧気化型往復ポンプ１２０のその減圧気化工程からその吐出し工程の過程で正負電荷に帯電される。
そして、その水処理システム１０の運転中、この減圧気化型往復ポンプ１２０は汚水を減圧気化させ、そして、それをその分別装置１２に流す動作を繰り返す。【００４７】  したがって、この減圧気化型往復ポンプ１２０は、その多数のシリンダー・ボア１３３、１３３、１３３、１３３がそのシリンダー・ボディ１２１に互いに連通されて放射状に穴明けされ、そして、その多数のピストン１２２、１２２、１２２、１２２がその多数のシリンダー・ボア１３３、１３３、１３３、１３３に対応的に往復摺動可能にはめ合わせられてその多数の固定側および可動側電磁コイル１２４、１２５でその多数のシリンダー・ボア１３３、１３３、１３３、１３３に同時的に往復摺動されるので、その前述された減圧気化型往復ポンプ１１に比べて減圧気化がより瞬間的でより急激的で強力になって汚水が効果的で効率的に多量に処理可能になるに加えて、回転機構が省かれ、構造が簡略化され、そして、軽量化される。
【実施例５】
【００４８】  図６および図７は、前述の水処理システム１０に活用されるところのさらに別の多段減圧気化型往復ポンプ１４０を示す。
この多段減圧気化型往復ポンプ１４０は、多数のシリンダー・ボア（シリンダー室）１６３、１６４、１６５、１６６、１６７が、ボディ中心軸線の方向に所定の間隔で初段から最終段（５段目）それぞれの箇所に配置され、そして、そのボディ中心軸線の直交する半径方向にも、また、そのボディ中心軸線の方向でその初段からその最終段の段間にも互いに連通され、ボディ外周面１６０に開放されて放射状に穴明けされ、さらに、吸込み口１６８が、その初段の多数のシリンダー・ボア（シリンダー室）１６３に連通されて初段側ボディ端面１６１に、吐出し口１６９が、その最終段の多数のシリンダー・ボア（シリンダー室）１６７に連通されて最終段側ボディ端面１６２にそれぞれ解放されるシリンダー・ボディ１４１と、そのシリンダー・ボディ１４１のその初段からその最終段それぞれンその多数のシリンダー・ボア１６３、１６４、１６５、１６６、１６７に対応的に往復動可能にはめ合わせられる多数のピストン１４２、１４３、１４４、１４５、１４６と、そのボディ外周面１６０の周りに適宜のピストン突き出しスペース１７２をあけてそのシリンダー・ボディ１４１を覆うポンプ・ケーシング１４７と、その初段からその最終段それぞれにおいてその多数のピストン１４２、１４３、１４４、１４５，１４６それぞれに対応されてそのポンプ・ケーシング１４７に固定的に組み付けられる固定側電磁コイル１４８、１４９、１５０、１５１、１５２と、その初段からその最終段それぞれにおいてその多数のピストン１４２、１４３、１４４、１４５，１４６のピストン・スカート１７１、１７１、１７１、１７１、１７１に固定的に組み付けられる可動側電磁コイル１５３、１５４、１５５、１５６、１５７と、そのシリンダー・ボディ１４１のその吸込み口１６８に連通可能にされてその吸込み口１６８側に配置される電磁給水弁１５８と、そのシリンダー・ボディ１４１のその吐出し口１６９に連通可能にされてその吐出し口１６９側に配置される吐出し逆止弁１５９とを含んで組み立てられる。勿論、その水処理システム１０は、起動スイッチ（図示せず）を入れ、その起動スイッチが入ると、コントローラーが働き、そして、そのコントローラーで運転制御されるので、その吐出し逆止弁１５９は電磁吐出し弁に置き換えられてもかまわない。【００４９】  次に、この多段減圧気化型往復ポンプ１４０が、その水処理システム１０の運転中、汚水を減圧気化させ、そして、その気化された物質を吐き出してその分別装置１２に送るところの動作を説明する。
その水処理システム１０は、先ず、その起動スイッチを入れる。その起動スイッチが入ると、この水処理システム１０では、コントローラーが働き、その多段減圧気化型往復ポンプ１４０、分別装置１２、分別収集装置１３、および遠心分離装置がそのコントローラーで運転制御される。【００５０】  この多段減圧気化型往復ポンプ１４０では、先ず、その初段においてその多数の固定側および可動側電磁コイル１４８、１４８、１４８、１４８および１５３、１５３、１５３、１５３に同じ向きに通電され、その多数のピストン１４２、１４２、１４２、１４２が上死点から下死点へ摺動し始める。その際、その電磁給水弁１５８は、この減圧気化工程の始めから途中までの短い時間連動的に通電制御されて開閉され、所定の量の汚水をその互いに連通された多数のシリンダー・ボア１６３、１６３、１６３、１６３に吸い込ませる。勿論、この減圧気化工程でその多数のシリンダー・ボア１６３、１６３、１６３、１６３に吸い込まれる汚水の量は、その前述された減圧気化型往復ポンプ１２０のそれよりも多くなる。そのためにその電磁給水弁１５８はそのコントローラーでその前述された電磁給水弁１２６よりも長い時間通電制御され、より長く開かれて閉じられるように設定される。【００５１】  その電磁給水弁１５８が、そのコントローラーで通電制御されて閉じられる頃にその２段からその最終段（５段）の各段においてその互いに対応された多数の固定側および可動側電磁コイル１４９、１５０、１５１、１５２および１５４、１５５、１５６、１５７に同じ向きに通電され、その２段からその最終段のその多数のピストン１４３、１４４、１４５、１４６は、その初段から多数のピストン１２２の下死点への摺動に合わせる時間的調節がなされてその初段の多数のピストン１２２よりも早い速度で上死点から下死点へ摺動される。
そのように、その２段からその最終段のその多数のピストン１４３、１４４、１４５、１４５がその初段の多数のピストン１４２よりも早い速度で摺動され、それに伴って、その初段からその最終段のその多数のシリンダー・ボア１６３、１６４、１６５、１６６、１６７すなわち、シリンダー室の圧力は、より瞬間的にしてより急激的でより強力的に急降下減圧され、そして、その吸い込まれた汚水はそのシリンダー室１６３、１６４、１６５、１６６、１６７内でより効果的でより効率的に気化される。【００５２】  そのようにして、その初段からその最終段のその多数のピストン１４２、１４３、１４４、１４５、１４６がそれぞれの下死点に同時的に摺動されるので、その際に続いて、その初段からその最終段のその固定側および可動側電磁コイル１４８、１４９、１５０、１５１、１５２および１５３、１５４、１５５、１５６、１５７に逆向きにす速く通電され、その多数のピストン１４２、１４３、１４４、１４５、１４６がその互いに連通された多数のシリンダー・ボア１６３、１６４、１６５、１６６、１６７内に対応的にその下死点から上死点へ摺動され、この吐出し工程では、その気化された水分子の気体やその気体に混在する油、金属イオン、ハロゲン・イオン、水素イオン、および電荷を持たない物質などは、その多数のピストン１４２、１４３、１４４、１４５、１４６でその吐出し口１６９から吐き出され、その吐出し逆止弁１５９を押し開き、そして、その末広ダクト３２を通ってその分別装置１２の内部に流れ込む。勿論、その油は、この減圧気化型往復ポンプ１４０のその減圧気化工程からその吐出し工程の過程で正負電荷に帯電される。そして、その水処理システム１０の運転中、この多段減圧気化型往復ポンプ１４０は汚水を減圧気化させ、そして、それをその分別装置１２に流す動作を繰り返す。
この多段減圧気化型往復ポンプ１４０は、また、その減圧気化工程では、その２段からその最終段のその多数のピストン１４３、１４４、１４５、１４６を段毎に僅かな時間差を置いて摺動させ、そして、その吐出し工程でもその初段からその最終段のその多数のピストン１４２、１４３、１４４、１４５、１４６を段毎に僅かな時間差を置いて摺動させてもかまわない。【００５３】  したがって、この多段減圧気化型往復ポンプ１４０は、前述された減圧気化型往復ポンプ１１および１２０に比べて減圧気化工程でそのシリンダー室１６３、１６４、１６５、１６６、１６７の圧力がより瞬間的でより急激的でより強力的に急降下減圧され、汚水がそのシリンダー室１６３、１６４、１６５、１６６、１６７内でより効果的で効率的にして多量に気化され、その結果、汚水が大量に処理可能になるに加えて、回転機構が省かれ、構造が簡略化され、そして、軽量化が図れる。【００５４】  先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応（ｂｅｃｏｍｍｅｎｓｕｒａｔｅｗｉｔｈ）し、そして、その発明の成立に必須である。
【産業上の利用可能性】
【００５５】  上述から理解されるように、この発明の水処理システムは、少なくとも金属イオン、ハロゲン・イオン、水素イオン、電荷を持たない物質、および有機化合物などを含む汚れた水を吸い込み、それを減圧により気化させて吐き出し、そして、次に流す減圧気化型往復ポンプと、一端に吸気開口を、他端に広い送気開口をそれぞれ有し、その吸気開口を通ってその減圧気化型往復ポンプから内部に流れ込む気体流中のそのイオンおよび正負電荷有機化合物などに対してローレンツ力に関する左手の規則により力を与える分別方向に磁界をかけ、その気体流を主直進流、陽極側分岐流、および陰極側分岐流に分岐させてその送気開口から次に流す分別装置と、一端に広い吸気開口を有し、内部をその吸気開口に通じて直進通路チャンバー、陽極内臓チャンバー、および陰極内臓チャンバーに仕切って分割し、その直進通路チャンバーにその主直進流を、その陽極内臓チャンバーにその陽極側分岐流を、その陰極内臓チャンバーにその陰極側分岐流をそれぞれ流し、そして、その直進通路チャンバーでは、その主直進流をそのままそれの出口に流し、その陽極内臓チャンバーでは、その陽極にそのハロゲン・イオン、負電荷有機化合物などを付着させ、そして、その陰極内臓チャンバーでは、その陰極にその金属イオン、正電荷有機化合物などを付着させる分別収集装置とを含むので、この発明の水処理システムでは、フィルターやろ過槽などでは取除き難いところのその金属イオン、ハロゲン・イオン、水素イオン、電荷を持たない物質、および有機化合物などが少ない消費エネルギーでその汚れた水から効率的に分別収集され、その汚れた水が安全で経済的に浄化され、水処理施設が簡単な構造に具体化され、その汚れた水の排出量に応じて処理容量や台数などが増減されて工場やプラントの規模に容易に適合され、点検修理が簡単で容易になり、部品交換で機能が長く保たれて維持管理が簡単で容易になり、そして、それにかける費用が低減されてさらに経済的になり、また、汚染された水の浄化処理では、細菌やウィルスなどが、その減圧気化の過程で死滅除去され、そして、放射性物質が、同様にして取り除かれ、汚染された水の浄化処理にも安全で経済的に活用でき、その結果、汚れた水の浄化処理にも実用になって有用である。
【符号の説明】
【００５６】  １０  水処理システム
１１  減圧気化型往復ポンプ
１２  分別装置
１３  分別収集装置
１４  倒立シリンダー
１５  倒立ピストン
１６  コネクティング・ロッド
１７  シリンダー側壁
１８  シリンダー・ヘッド
１９  シリンダー・ボア
２０  シリンダー室
２１  給水口
２２  排気口
２３  電磁給水弁
２４  逆止弁
２５  パイプ
２６  ピストン・ヘッド
２７  箱形筒
２８  左の側壁
２９  右の側壁
３０  吸気開口
３１  広い送気開口
３２  末広ダクト
３３  広い吸気開口
３４  仕切り壁
３５  仕切り壁
３６  仕切り壁
３７  仕切り壁
３８  直進通路チャンバー
３９  陽極内臓チャンバー
４０  陰極内臓チャンバー
４１  出口／送気開口
４２  出口／排出口
４３  出口／排出口
４４  直進通路チャンバー・リターン
４５  直進通路チャンバー・リターン
４６  陽極板
４７  陰極板
４８  電池
４９  ダクト
５０  水処理システム
５１  減圧気化装置
５２  大型の長い筒状ケーシング
５６  大型の長い筒状減圧気化室
６２  電動モーター付き減圧気化ポンプ
７０  水処理システム
７１  多段カスケード減圧気化装置
７２  大型の長い筒状ケーシング
７６  仕切り壁
７７  仕切り壁
７８  仕切り壁
７９  仕切り壁
８０  仕切り壁
８１  多段カスケード減圧気化室
８２  多段カスケード減圧気化室
８３  多段カスケード減圧気化室
８４  多段カスケード減圧気化室
８５  多段カスケード減圧気化室
８６  多段カスケード減圧気化室
８７  フラッシュ堰
８８  フラッシュ堰
８９  フラッシュ堰
９０  フラッシュ堰
９１  フラッシュ堰
９２  フラッシュ堰
９５  接続口
９６  連通口
９７  連通口
９８  連通口
９９  連通口
１００  連通口
１０３  連通口
１２０  減圧気化型往復ポンプ
１２１  シリンダー・ボディ
１２２  ピストン
１２３  ポンプ・ケーシング
１２４  固定側電磁コイル
１２５  可動側電磁コイル
１２６  電磁給水弁
１２７  吐出し逆止弁
１３３  シリンダー・ボア／シリンダー室
１３６  ピストン・ヘッド
１３７  ピストン・スカート
１３８  ピストン突き出しスペース
１３９  補強板／補強リブ
１４０  多段減圧気化型往復ポンプ
１４１  シリンダー・ボディ
１４２  ピストン
１４３  ピストン
１４４  ピストン
１４５  ピストン
１４６  ピストン
１４７  ポンプ・ケーシング
１４８  固定側電磁コイル
１４９  固定側電磁コイル
１５０  固定側電磁コイル
１５１  固定側電磁コイル
１５２  固定側電磁コイル
１５３  可動側電磁コイル
１５４  可動側電磁コイル
１５５  可動側電磁コイル
１５６  可動側電磁コイル
１５７  可動側電磁コイル
１５８  電磁給水弁
１５９  吐出し逆止弁
１６３  シリンダー・ボア／シリンダー室
１６４  シリンダー・ボア／シリンダー室
１６５  シリンダー・ボア／シリンダー室
１６６  シリンダー・ボア／シリンダー室
１６７  シリンダー・ボア／シリンダー室
１７０  ピストン・ヘッド
１７１  ピストン・スカート
１７２  ピストン突き出しスペース
１７３  補強板／補強リブ
１７４  据付け台
【図１】
2016175056.tif 000003
【図２】
2016175056.tif 000004
【図３】
2016175056.tif 000005
【図４】
2016175056.tif 000006
【図５】
2016175056.tif 000007
【図６】
2016175056.tif 000008
【図７】
2016175056.tif 000009